(57)【要約】【課題】  投影映像のゆがみが発生し難いフレネルレンズシート等を提供する。【解決手段】  入射面とその入射面から入射する映像光の一部又は全部を全反射して所望の方向に偏向する全反射面とを有する単位全反射フレネルレンズが入光側に配列されたフレネルレンズシートであって、フレネルレンズシートの垂直方向の長さＨ１（ｃｍ）、フレネルレンズシートの水平方向の長さＬ１（ｃｍ）、フレネルレンズシートの厚さＴ１（ｃｍ）、及びフレネルレンズシートの弾性係数Ｅ１（ｋｇｆ／ｃｍ２）とが、Ｈ１×Ｈ１／（１０×Ｅ１×Ｔ１×Ｔ１）≦３Ｌ１／２０００、の関係を満たすように構成して、前記課題を解決した。また、フレネルレンズシートを、フレネルレンズが形成されたフレネルレンズ形成シートと、その出光面側に貼り合わされる補助シートとで構成することにより、フレネルレンズシート製造時における金型からの離型作業の効率化を達成した。【選択図】        なし    【特許請求の範囲】
【請求項１】
入射面と当該入射面から入射する映像光の一部又は全部を全反射して所望の方向に偏向する全反射面とを有する単位全反射フレネルレンズが入光側に配列されたフレネルレンズシートであって、
フレネルレンズシートの垂直方向の長さＨ１（ｃｍ）、フレネルレンズシートの水平方向の長さＬ１（ｃｍ）、フレネルレンズシートの厚さＴ１（ｃｍ）、及びフレネルレンズシートの弾性係数Ｅ１（ｋｇｆ／ｃｍ２）とが、Ｈ１×Ｈ１／（１０×Ｅ１×Ｔ１×Ｔ１）≦３Ｌ１／２０００、の関係を満たすことを特徴とするフレネルレンズシート。
【請求項２】
基材の入光側に、入射面と当該入射面から入射する映像光の一部又は全部を全反射して所望の方向に偏向する全反射面とを有する単位全反射フレネルレンズが配列されたフレネルレンズを有するフレネルレンズシートであって、
基材の垂直方向の長さＨ２（ｃｍ）、基材の水平方向の長さＬ２（ｃｍ）、基材の厚さＴ２（ｃｍ）、及び基材の弾性係数Ｅ２（ｋｇｆ／ｃｍ２）とが、Ｈ２×Ｈ２／（１０×Ｅ２×Ｔ２×Ｔ２）≦３Ｌ２／２０００、の関係を満たすことを特徴とするフレネルレンズシート。
【請求項３】
前記フレネルレンズシートは、フレネルレンズが形成されたフレネルレンズ形成シートと、当該フレネルレンズ形成シートの出光面側に貼り合わされる補助シートとからなることを特徴とする請求項１又は請求項２に記載のフレネルレンズシート。
【請求項４】
前記補助シートが、レンチキュラーレンズが形成されたレンチキュラーレンズシートであることを特徴とする請求項３に記載のフレネルレンズシート。
【請求項５】
前記フレネルレンズ形成シートと前記補助シートとが、同じ材質であることを特徴とする請求項３又は請求項４に記載のフレネルレンズシート。
【請求項６】
フレネルレンズシートが、光を拡散させる拡散剤を含有していることを特徴とする請求項１〜５のいずれか１項に記載のフレネルレンズシート。
【請求項７】
フレネルレンズシートが、光を吸収するように着色されていることを特徴とする請求項１〜６のいずれか１項に記載のフレネルレンズシート。
【請求項８】
フレネルレンズシートが、光吸収層を有していることを特徴とする請求項１〜７のいずれか１項に記載のフレネルレンズシート。
【請求項９】
フレネルレンズシートの片面又は両面に、反射率を低下させる層が形成されていることを特徴とする請求項１〜８のいずれか１項に記載のフレネルレンズシート。
【請求項１０】
請求項１〜９のいずれか１項に記載のフレネルレンズシートの出光面に、光を拡散させるレンチキュラーレンズが形成されていることを特徴とする透過型スクリーン。
【請求項１１】
請求項１〜９のいずれか１項に記載のフレネルレンズシートの出光面側に、光を拡散させるレンチキュラーレンズを有するレンチキュラーレンズシートが配置されていることを特徴とする透過型スクリーン。
【請求項１２】
透過型スクリーンの片面又は両面に、反射率を低下させる層が形成されていることを特徴とする請求項１０又は請求項１１に記載の透過型スクリーン。
【請求項１３】
請求項１〜９のいずれか１項に記載のフレネルレンズシート、又は請求項１０〜１２のいずれか１項に記載の透過型スクリーンを含むことを特徴とする背面投射型表示装置。
【発明の詳細な説明】
【技術分野】
【０００１】
本発明は、投影映像にゆがみが発生し難いフレネルレンズシート、透過型スクリーン及び背面投射型表示装置に関するものである。
【背景技術】
【０００２】
背面投射型表示装置であるプロジェクションテレビジョンには、光源から発せられた映像光を拡大投影する透過型スクリーンが設けられている。この透過型スクリーンは、一般に、光源から拡大投射される映像光を観察者側へ平行光又は略平行光に屈折させるフレネルレンズ要素と、その平行光又は略平行光を散乱させて広い範囲の観察者へ提供するレンチキュラーレンズ要素とで構成されている。このような背面投射型表示装置の光源としては、従来、三原色が別々の管から投射される３管方式のＣＲＴ光源が一般的であったが、近年、ＬＣＤやＤＬＰを用いた単管方式の光源も使用されてきている。
【０００３】
単管方式の光源８を用いた従来型の背面投射型表示装置５２においては、図１６に示すように、透過型スクリーン１０の中心に対して垂直又は略垂直に映像光５を入射させる方式が一般的であった。そのため、図１７に示すように、透過型スクリーン１０の位置が光源８の方向に近づいても遠ざかっても投影映像に影響を与えることはなかった。
【０００４】
これに対して、図５に示すように、透過型スクリーンの中心に対して斜めに映像光５を入射させることにより、従来に比べて大幅な薄型化を図った背面投射型表示装置５１が提案されている。こうした背面投射型表示装置５１に対しては、全反射タイプのフレネルレンズが形成されたフレネルレンズシートの使用が提案されている（例えば、特許文献１を参照）。
【特許文献１】特開昭６１−２０８０４１号公報（特許請求の範囲）
【発明の開示】
【発明が解決しようとする課題】
【０００５】
ところで、フレネルレンズシートを有する透過型スクリーン１０の中心に対して斜めに映像光５を入射させる薄型の背面投射型表示装置５１（図５を参照）において、フレネルレンズシートはその周辺が枠体に支持されて設置され、フレネルレンズシートの四辺が同一の平面上に保持されるが、フレネルレンズシート自身の荷重によりフレネルレンズシート１にたわみが生じることがある。その結果、透過型スクリーン１０に膨れや浮きが生じる場合には、フレネルレンズの位置が光源８の方向（すなわち、シートの厚さ方向）に近づいたり遠ざかったりすることになる。そのため、図６に示すように、特にフレネルレンズシートの中央付近では、表示される映像の高さ方向の位置が変化することになる。したがって、例えばフレネルレンズシートにたわみが生じる場合には、フレネルレンズシートの中心部のフレネルレンズの位置がシートの厚さ方向に変化するが、周辺部のフレネルレンズの位置はあまり変化しないので、透過型スクリーンに表示される映像にゆがみが生じる。例えば、水平な直線を透過型スクリーン上に表示した場合に、水平方向でその直線が曲がって見えることがある。
【０００６】
特に最近、背面投射型表示装置に対しては、より一層の薄型化が要請されているので、全反射タイプのフレネルレンズが配列されたフレネルレンズシートの中心での映像光の入射角がより大きくなる傾向にあることから、透過型スクリーンに表示される映像のゆがみの問題がより顕著になるものと予想される。しかしながら、従来においては、こうした問題に対して全く考慮されていなかったという実情がある。
【０００７】
また、前述した全反射フレネルレンズが形成されたフレネルレンズシートは、フレネルレンズシート形成用の平面状の金型に成形樹脂を塗布・硬化させた後、その金型からフレネルレンズシートを離型することにより製造される。しかしながら、特に全反射フレネルレンズシートの製造においては、例えば図１２に示すような角度を有するフレネルレンズ要素と金型とが噛み合っているので、フレネルレンズシートの厚さが厚い場合には、シートの柔軟性が低下して極めて離型し難い状況になるという問題があった。そのため、前述したように、投影映像のゆがみが発生し難いフレネルレンズシートの提供、という要請に加え、フレネルレンズシート製造時における金型からの離型作業の効率化を達成できるフレネルレンズシートの提供、という要請がある。
【０００８】
本発明は、前記課題を解決すべくなされたものであって、その第１の目的は、投影映像のゆがみが発生し難いフレネルレンズシート、及びそのフレネルレンズシートを備えた透過型スクリーン、背面投射型表示装置を提供することにある。
【０００９】
また、本発明の第２の目的は、さらに加えて、フレネルレンズシート製造時における金型からの離型作業の効率化を達成できるフレネルレンズシート、及びそのフレネルレンズシートを備えた透過型スクリーン、背面投射型表示装置を提供することにある。
【課題を解決するための手段】
【００１０】
本発明者は、前記問題に対して鋭意研究を重ねた結果、フレネルレンズシートのたわみの程度について実用上問題のないレベルを見出し、それを実現するために必要とされるフレネルレンズシートのサイズ（垂直方向の長さ×水平方向の長さ）及び厚さと物性値（弾性係数）との関係を見出して本発明に到達した。
【００１１】
すなわち、前記第１の目的を達成する本発明のフレネルレンズシートは、入射面と当該入射面から入射する映像光の一部又は全部を全反射して所望の方向に偏向する全反射面とを有する単位全反射フレネルレンズが入光側に配列されたフレネルレンズシートであって、フレネルレンズシートの垂直方向の長さＨ１（ｃｍ）、フレネルレンズシートの水平方向の長さＬ１（ｃｍ）、フレネルレンズシートの厚さＴ１（ｃｍ）、及びフレネルレンズシートの弾性係数Ｅ１（ｋｇｆ／ｃｍ２）とが、Ｈ１×Ｈ１／（１０×Ｅ１×Ｔ１×Ｔ１）≦３Ｌ１／２０００、の関係を満たすことに特徴を有するものである。なお、本発明では弾性係数の単位としてｋｇｆ／ｃｍ２を用いるが、１ｋｇｆ／ｃｍ２は約９．８Ｎ／ｃｍ２である。
【００１２】
また、前記第１の目的を達成する本発明のフレネルレンズシートは、基材の入光側に、入射面と当該入射面から入射する映像光の一部又は全部を全反射して所望の方向に偏向する全反射面とを有する単位全反射フレネルレンズが配列されたフレネルレンズを有するフレネルレンズシートであって、基材の垂直方向の長さＨ２（ｃｍ）、基材の水平方向の長さＬ２（ｃｍ）、基材の厚さＴ２（ｃｍ）、及び基材の弾性係数Ｅ２（ｋｇｆ／ｃｍ２）とが、Ｈ２×Ｈ２／（１０×Ｅ２×Ｔ２×Ｔ２）≦３Ｌ２／２０００、の関係を満たすことに特徴を有するものである。
【００１３】
これらの発明によれば、前記の関係を満たすようにフレネルレンズシートを構成したので、フレネルレンズシートにたわみが生じ難く、投影映像のゆがみが発生し難い。さらに、前記関係式を満たすように、フレネルレンズシートの材質に応じたサイズ及び厚さを設計したり、フレネルレンズシートのサイズ及び厚さから材質を選定することができるので、設計コストや製造コストの大幅な削減を期待できる。
【００１４】
前記第２の目的を達成する本発明のフレネルレンズシートは、前記の本発明のフレネルレンズシートにおいて、前記フレネルレンズシートは、フレネルレンズが形成されたフレネルレンズ形成シートと、当該フレネルレンズ形成シートの出光面側に貼り合わされる補助シートとからなることに特徴を有する。
【００１５】
この発明によれば、フレネルレンズシートをフレネルレンズ形成シートと補助シートとで構成するので、フレネルレンズ形成シートの厚さをより一層薄くすることができる。そのため、フレネルレンズの転写形状が形成されている金型から、薄く柔軟なフレネルレンズ形成シートを容易に離型することができるので、フレネルレンズシートの製造の効率化を達成できる。また、フレネルレンズシートの全体としては、前記の関係を満たすのでたわみが生じ難く投影映像のゆがみが発生し難いと共に、金型からの離型作業の効率化を達成できるフレネルレンズシートの提供が可能となる。
【００１６】
本発明のフレネルレンズシートにおいて、前記補助シートが、レンチキュラーレンズが形成されたレンチキュラーレンズシートであることが好ましい。この発明は、フレネルレンズ形成シートとレンチキュラーレンズシートとを一体化したフレネルレンズシートを、極めて効率的に作製できる構成としたものである。
【００１７】
本発明のフレネルレンズシートにおいて、前記フレネルレンズ形成シートと前記補助シートとが、同じ材質であることが好ましい。この発明によれば、フレネルレンズ形成シートと補助シートとが同じ材質であるので、たわみが生じ難く投影映像のゆがみが発生し難い。その結果、平面性の悪化を最小限に抑えたフレネルレンズシートの提供が可能となる。
【００１８】
本発明のフレネルレンズシートにおいて、フレネルレンズシートが、光を拡散させる拡散剤を含有していることが好ましい。また、本発明のフレネルレンズシートにおいて、フレネルレンズシートが、光を吸収するように着色されていることが好ましい。また、本発明のフレネルレンズシートにおいて、フレネルレンズシートが、光吸収層を有していることが好ましい。
【００１９】
これらの発明によれば、全反射フレネルレンズを有したフレネルレンズシートに発生し易い迷光を拡散又は吸収することができるので、迷光に基づいて発生する二重像の問題を解決することができる。その結果、投影映像のゆがみが発生し難いと共に、二重像も発生し難くなる。
【００２０】
本発明のフレネルレンズシートにおいて、フレネルレンズシートの片面又は両面に、反射率を低下させる層が形成されていることが好ましい。この発明によれば、映像のコントラストが、反射光により低下するのを抑制することができる。
【００２１】
また、本発明の透過型スクリーンは、前記のフレネルレンズシートの出光面に、光を拡散させるレンチキュラーレンズが形成されていることに特徴を有するものである。また、本発明の透過型スクリーンは、前記のフレネルレンズシートの出光面側に、光を拡散させるレンチキュラーレンズを有するレンチキュラーレンズシートが配置されていることに特徴を有するものである。これらの発明は、フレネルレンズ要素とレンチキュラーレンズ要素とを備える透過型スクリーンを提供するものである。
【００２２】
本発明の透過型スクリーンにおいて、透過型スクリーンの片面又は両面に、反射率を低下させる層が形成されていることが好ましい。この発明によれば、反射光による映像のコントラストが低下するのを抑制することができる。
【００２３】
また、本発明の背面投射型表示装置は、前記のフレネルレンズシート、又は前記の透過型スクリーンを含むことに特徴を有するものである。
【発明の効果】
【００２４】
以上説明したように、本発明のフレネルレンズシート及び透過型スクリーンによれば、投影映像のゆがみが発生し難い。さらに、前記の関係式を満たすように、フレネルレンズシートの材質に応じたサイズ及び厚さを設計したり、フレネルレンズシートのサイズ及び厚さから材質を選定することができるので、設計コストや製造コストの大幅な削減を期待できる。
【００２５】
また、本発明のフレネルレンズシート及び透過型スクリーンによれば、フレネルレンズ形成シートと補助シートとで構成してフレネルレンズ形成シートの厚さをより一層薄くすることができるので、フレネルレンズの転写形状が形成されている金型から、薄く柔軟なフレネルレンズ形成シートを容易に離型することができる。その結果、前記効果に加えて、フレネルレンズシートの製造の効率化を達成できる。
【００２６】
また、本発明の背面投射型表示装置によれば、こうした投影映像のゆがみが発生し難い本発明のフレネルレンズシートを備えたので、大幅な薄型化を達成することが可能となる。
【発明を実施するための最良の形態】
【００２７】
本発明のフレネルレンズシート、透過型スクリーン及び背面投射型表示装置について具体的に説明する。
【００２８】
（フレネルレンズシート）
本発明のフレネルレンズシート１は、図１に示すように、入射面３とその入射面３から入射する映像光５の一部又は全部を全反射して所望の方向に偏向する全反射面４とを有する単位全反射フレネルレンズ２が入光側に配列されたものである。より具体的には、図１に示すように、全反射フレネルレンズ２を備えた単一構造からなるフレネルレンズシート１、又は、図２に示すように、基材１１とその基材１１上に形成されたフレネルレンズ要素部分１２とからなる複合形態のフレネルレンズシート１’に例示されるものである。
【００２９】
そして、本発明の特徴は、これらのフレネルレンズシート１、１’において、フレネルレンズシート１又は基材１１の垂直方向の長さＨ（ｃｍ）、フレネルレンズシート１又は基材１１の水平方向の長さＬ（ｃｍ）、フレネルレンズシート１又は基材１１の厚さＴ（ｃｍ）、及びフレネルレンズシート１又は基材１１の弾性係数Ｅ（ｋｇｆ／ｃｍ２）とが、Ｈ×Ｈ／（１０×Ｅ×Ｔ×Ｔ）≦３Ｌ／２０００、の関係を満たすことにある。なお、本願では必要に応じて、図１に示す態様のフレネルレンズシート１の各特性値をＨ１、Ｌ１、Ｔ１及びＥ１と表し、図２に示す態様の基材１１の各特性値をＨ２、Ｌ２、Ｔ２及びＥ２と表す。
【００３０】
本発明のフレネルレンズシートは、Ｈ×Ｈ／（１０×Ｅ×Ｔ×Ｔ）≦３Ｌ／２０００、の関係式を満たすので、フレネルレンズシートを透過した映像光７にゆがみを生じさせる程度の変形（たわみによる変形のこと）が、フレネルレンズシートに起こらない。その結果、フレネルレンズシートの中心に対する映像光５の入射角度θが大きい場合においても、フレネルレンズシートを透過した映像光７に顕著なゆがみが生じないので、近年の背面投射型表示装置の薄型化及び高品質化に寄与できる。一方、Ｈ×Ｈ／（１０×Ｅ×Ｔ×Ｔ）＞３Ｌ／２０００、となる場合には、フレネルレンズシートを透過した映像光７にゆがみを生じさせる程度の変形（たわみによる変形のこと）が起こることがある。その結果、フレネルレンズシートを透過した映像光７に顕著なゆがみが生じることがある。
【００３１】
ここで、Ｈ×Ｈ／（１０×Ｅ×Ｔ×Ｔ）≦３Ｌ／２０００、とした理由について詳しく説明する。
【００３２】
背面投射型表示装置のスクリーンサイズとしては、対角５０インチ（アスペクト比４：３、縦７６．２ｃｍ×横１０１．６ｃｍ）程度又はそれより大きいのが一般的であるので、その大きさのスクリーンに映し出される映像がゆがんでも、そのゆがみの程度によっては観察者がゆがみの存在を認識できないことがある。
【００３３】
すなわち、透過型スクリーンを構成する実際のフレネルレンズシートにおいては、フレネルレンズシートが略コ字型の枠体に入れられて支持され、フレネルレンズシートの四辺が同一の平面上に保持されるが、フレネルレンズシート自身の荷重によりフレネルレンズシート１にたわみが生じることがあり、平面性が低下する。たわみがあるとは、フレネルレンズシートの中心部ではその位置が画面に対し垂直な方向にずれるということである。このようなずれが生じると、表示される画像の高さ方向（垂直方向）の位置がずれることになる。フレネルレンズシートは枠体により保持されているので、フレネルレンズシートの外周部（周辺部）の位置は変化せずに画像の高さ方向の位置も変化しない。従って、フレネルレンズシートにたわみが生じると、図３に示すように、水平な直線９をスクリーン上に表示した場合には直線が曲がって見えることになり映像にゆがみが生じる。この映像のゆがみについて、本発明者等は様々な映像で詳細に検討したところ、映像のゆがみが許容できる限界は、単位長さに対して千分の３程度であることを見出した。例えば、図３に示すように、水平な直線９をスクリーン上に表示した場合において、スクリーンの水平方向の長さＬ（ｃｍ）と同じ長さの直線９を表示した場合において、その直線９の曲がりＰが上下方向で千分の３Ｌ（＝３Ｌ／１０００）以内であれば、その曲がりＰを観察者が認識するのは極めて困難であることを見出した。
【００３４】
一方、フレネルレンズシートの中心に対して斜めに映像光５が入射する最近の薄型の背面投射型表示装置の場合、フレネルレンズシートの中心部に入射する映像光５の入射角度θは６０〜６５°となる。本発明者等は、こうした薄型の背面投射型表示装置において、直線９の曲がりＰが上下方向で千分の３Ｌ以内となるように映像のゆがみを抑制しようとした場合、フレネルレンズシートがそのシートの厚さ方向にズレることが許容される長さＱは２千分の３Ｌ以内となる（図６を参照）。従って、ゆがみの目立たない映像を得るためには、フレネルレンズシートのたわみ量Ｗを３Ｌ／２０００以内とすればよい。
【００３５】
次に、本発明者等は、これ以内のたわみ量とするためにはどのようなフレネルレンズシートとすればよいかということについて詳細に検討した。
【００３６】
フレネルレンズシートを枠体に保持させた場合には、フレネルレンズシートのたわみ量は、フレネルレンズシートの弾性係数Ｅ、フレネルレンズシートのサイズ（高さＨと幅Ｌ）、及びフレネルレンズシートの厚さＴによって決まる。このうちサイズについては高さＨと横幅Ｌの２つのパラメータがあるが、スクリーンの場合は画面の高さと横幅との比が４：３又は１６：９の２つに限られるので、２つのパラメータのうち、たわみ量に関係するパラメータは高さＨを採用することができる。
【００３７】
本発明者等は、これらのパラメータとたわみ量の関係について種々のサイズ、厚さ及び弾性係数からなるフレネルレンズシートを略コ字型の枠体に入れてたわみ量を測定し、その測定結果を詳細に検討したところ、フレネルレンズシートに必要なたわみ量が０．１〜０．３ｃｍと少ない場合には、概ねたわみ量Ｗは、Ｈ×Ｈ／（１０×Ｅ×Ｔ×Ｔ）であることを見出した。前述した検討で明らかになったように、許容できるたわみ量Ｗは、３Ｌ／２０００以内であるので、Ｈ×Ｈ／（１０×Ｅ×Ｔ×Ｔ）≦３Ｌ／２０００、となるのである。
【００３８】
なお、フレネルレンズシート１の垂直方向の長さＨ１は、フレネルレンズシートの縦幅で定義され、基材１１の垂直方向の長さＨ２は、フレネルレンズシートを構成する基材の縦幅で定義される。また、フレネルレンズシート１の水平方向の長さＬ１は、フレネルレンズシートの横幅で定義され、基材１１の水平方向の長さＬ２は、フレネルレンズシートを構成する基材の横幅で定義される。また、フレネルレンズシート１の厚さＴ１は、図１に示すように、フレネルレンズ要素以外の厚さで定義され、基材１１の厚さＴ２は、図２に示すように、基材そのものの厚さで定義される。前記関係式において、厚さＴを、フレネルレンズ要素以外の厚さ又は基材そのものの厚さで定義した理由は、フレネルレンズ要素部はフレネルレンズ要素以外の部分に比べて１／１０又はそれ以下の厚さであるので、フレネルレンズシートのたわみの発生にほとんど影響しないからである。
【００３９】
フレネルレンズシート１の弾性係数Ｅ１は、フレネルレンズシートの弾性係数で定義され、基材１１の弾性係数Ｅ２は、フレネルレンズシートを構成する基材の弾性係数で定義される。また、後述するように補助シートを貼り合せてフレネルレンズシートを構成する場合の弾性係数Ｅは、補助シートと基材等の他のシートが同じものであれば、どちらか一方のシートの弾性係数で定義される。
【００４０】
また、補助シートと基材等の他のシートが異なるものである場合の弾性係数Ｅは、補助シートによりフレネルレンズシート全体の剛性が得られると考えられる場合には、補助シートの弾性係数で定義される。一方、補助シートと基材等の他のシートとでフレネルレンズシート全体の剛性が得られると考えられる場合には、補助シートの弾性係数と基材の弾性係数又は基材以外の他のシートの弾性係数との平均値で定義される。なお、補助シートによりフレネルレンズシート全体の剛性が得られると考えられる場合とは、例えば、フレネルレンズシート全体の厚さの８０％以上が補助シートである場合であり、この場合は、基材等の他のシートがフレネルレンズシート全体の剛性に影響をほとんど及ぼさないからである。また、補助シートと基材等の他のシートとでフレネルレンズシート全体の剛性が得られると考えられる場合とは、補助シートの厚さがフレネルレンズシート全体の厚さの８０％未満のときである。すなわち、補助シートの厚さがフレネルレンズシート全体の厚さの８０％未満のときには、基材等の他のシートはフレネルレンズシート全体の剛性に関与しているからであり、この場合には、補助シートのの弾性係数と基材等の他のシートの弾性係数との平均値をフレネルレンズシートの弾性係数にしたのである。
【００４１】
また、フレネルレンズシート１、基材１１、補助シート等の弾性係数Ｅは、１種の材料により作製されている場合には、その材料の弾性係数であるが、拡散剤や他の物質が含まれている場合には、フレネルレンズシート１、基材１１、補助シート等の弾性係数を測定した値であることが好ましい。この弾性係数は、例えば、フレネルレンズシート１、基材１１、補助シート等から一部を採取して試験片とし、その試験片について、JIS K 7113  プラスチックの引張試験方法により測定した。
【００４２】
以上説明した本発明のフレネルレンズシート１、１’は、フレネルレンズシート１又は基材１１の垂直方向の長さＨ（ｃｍ）、フレネルレンズシート１又は基材１１の水平方向の長さＬ（ｃｍ）、フレネルレンズシート１又は基材１１の厚さＴ（ｃｍ）、及びフレネルレンズシート１又は基材１１の弾性係数Ｅ（ｋｇｆ／ｃｍ２）とが、Ｈ×Ｈ／（１０×Ｅ×Ｔ×Ｔ）≦３Ｌ／２０００、の関係を満たすので、フレネルレンズシート１、１’を透過した映像光７にゆがみを生じさせる程度の変形（たわみによる変形のこと）が、フレネルレンズシートに起こらない。その結果、フレネルレンズシート１、１’の中心に対する映像光５の入射角度θが大きい場合においても、フレネルレンズシート１、１’を透過した映像光７に顕著なゆがみが生じないので、近年の背面投射型表示装置の薄型化及び高品質化に寄与できる。
【００４３】
（第１実施形態）
図１は、全反射フレネルレンズ２を備えた単一構造からなるフレネルレンズシート１の一例を示す断面図である。このフレネルレンズシート１は、入射面３とその入射面３から入射する映像光５の一部又は全部を全反射して所望の方向に偏向する全反射面４とを有する単位全反射フレネルレンズ２が入光側に配列されている一体型のフレネルレンズシートであり、かつ、前述した関係式を満たすものである。
【００４４】
フレネルレンズシートを形成する透明樹脂としては、スチレン樹脂、アクリル−スチレン共重合体樹脂、ポリカーボネート樹脂等が好ましく用いられる。フレネルレンズシートは、フレネルレンズの逆形状を有する金型を用い、前記樹脂をプレス成形、射出成形又はキャスティング成形などにより成形して製造される。前述した透明樹脂としては、混ぜものがなく均一なものを用いることができるが、迷光をなくすための各種の手段を適用することが好ましい。
【００４５】
ここで、迷光について説明する。迷光２０とは、図７に示すように、入射面２３から入射した映像光５のうち全反射面２４に入射しない光のことである。この迷光２０は、フレネルレンズシートに対する映像光５の入射角度θが小さいときに発生するので、フレネルレンズシートの下端付近で発生し易い。フレネルレンズシートに入射した迷光２０は、出光面６で反射し、再びフレネルレンズ要素部分に入光して屈折を繰り返した後に再度出光する。このとき出光する光２５は、全反射面２４で反射して出光する正規の映像光７とは、出光する位置が異なる。こうした出光位置の相違が、二重像の原因となる。
【００４６】
本発明のフレネルレンズシートにおいては、以下の手段により、迷光による二重像の発生を抑制することが好ましい。
【００４７】
第１は、フレネルレンズシート内に拡散剤を含有させる手段が挙げられる。図８は、本発明のフレネルレンズシートが光を拡散させる拡散剤１５を含有している一例を示す断面構成図である。拡散剤１５としては、フレネルレンズシートを構成する樹脂の種類に応じ、その屈折率差を考慮して選定されるが、例えば、スチレン樹脂微粒子、シリコーン樹脂微粒子、アクリル樹脂微粒子、ＭＳ樹脂微粒子等の有機系微粒子や、硫酸バリウム微粒子、ガラス微粒子、水酸化アルミニウム微粒子、炭酸カルシウム微粒子、シリカ（二酸化珪素）微粒子、酸化チタン微粒子等の無機系微粒子を挙げることができ、これらの１種又は２種以上が樹脂中に配合される。粒子形状については、真球形状、略球形状、不定形状等、各種のものを使用できる。このフレネルレンズシートにおいて、光路長の長い迷光２０はフレネルレンズシート内で屈折を繰り返して進むが、シート中に含まれる拡散剤１５により拡散されるので、二重像が目立たなくなる。
【００４８】
第２は、フレネルレンズシートを着色して光を吸収させる手段が挙げられる。着色剤としては、黒色の染料、顔料、カーボンブラック等が挙げられ、着色方法としては、これらの着色剤と樹脂を混ぜてキャスティング成形したり、押し出し成形したりする方法等を挙げることができる。このフレネルレンズシートにおいて、光路長の長い迷光２０は、設計通りに出光する光路長の短い映像光７に比べ、着色されたフレネルレンズシート内で大幅に吸収されるので、二重像が目立たなくなる。
【００４９】
第３は、フレネルレンズシートに光吸収層を形成する手段が挙げられる。図９は、本発明のフレネルレンズシートが光吸収層１６を有している一例を示す断面図である。この光吸収層は、フレネルレンズシートの出光面側の表面から内部に向かって形成された溝形態を呈するものであり、出光面側から平面視したとき、例えば厚さ約１０μｍで深さ約１００μｍの細い溝が光の進行方向に対して平行かつ等間隔で配列され、その細い溝にワイピング法により黒色インクを埋め込むことにより形成される。このフレネルレンズシートにおいて、光路長の長い迷光２０は、光吸収層１６で吸収されるので、二重像が目立たなくなる。
【００５０】
第４は、フレネルレンズシートの出光面に光を拡散させるレンチキュラーレンズ要素を形成する手段が挙げられる。図１０は、円弧状の垂直レンチキュラーレンズ１７をフレネルレンズシートの出光面に形成した例であり、図１１は、台形状の垂直レンチキュラーレンズ１８を出光面に形成した例である。円弧状の垂直レンチキュラーレンズ１７は光を水平方向に拡散させるので、迷光も拡散され、二重像が目立たなくなる。また、台形状の垂直レンチキュラーレンズ１８は、迷光を台形の斜面１９で全反射させるので、迷光を目立たなくすることができる。なお、レンチキュラーレンズをフレネルレンズシートに形成する代わりに、レンチキュラーレンズを有するフレネルレンズシートとは別体のレンチキュラーレンズシートを観察者側に配置した２枚構成の複合型透過型スクリーンを構成してもよい。
【００５１】
本発明のフレネルレンズシートにおいては、こうした各手段を適用することにより、発生する迷光の影響を極力抑制することができる。
【００５２】
本発明のフレネルレンズシートの何れか一方の表面、すなわち片面又は両面に、反射率を低下させる層（以下、「反射率低下層」ということがある。）を形成してもよい。反射率低下層は、低屈折率の材質で形成されることが好ましく、例えばフッ素系樹脂やシリコーン系樹脂が好ましく用いられる。また、反射率低下層を形成する方法としては、特に限定されず、例えば、ディッピング法、フローコート法などのコーティング法等が挙げられる。反射率低下層は、フレネルレンズシートの出光面側に好ましく設けられるが、両面に設けるとより効果的である。このフレネルレンズシートにおいて、反射率低下層は反射防止効果を発揮するので、表面の反射光による画像のコントラストの低下が抑制される。
【００５３】
なお、レンチキュラーレンズ要素を備えたフレネルレンズシートや、フレネルレンズシートとレンチキュラーレンズシートとが組み合わされた２枚構成の複合型の透過型スクリーンに対しても、前記と同様の反射率低下層を形成することができる。
【００５４】
以上のような第１実施形態のフレネルレンズシート１によれば、前記の関係式を満たすので、フレネルレンズシート１を透過した映像光７にゆがみを生じさせる程度の変形（たわみによる変形のこと）が、フレネルレンズシートに起こらない。その結果、フレネルレンズシート１の中心に対する映像光５の入射角度θが大きい場合においても、フレネルレンズシート１を透過した映像光７に顕著なゆがみが生じないので、近年の背面投射型表示装置の薄型化及び高品質化に寄与できる。
【００５５】
（第２実施形態）
図２は、基材１１とその基材１１上に形成されたフレネルレンズ要素部分１２とからなる複合形態のフレネルレンズシート１’の一例を示す断面図である。このフレネルレンズシート１’も、第１実施形態と同様に、入射面３とその入射面３から入射する映像光５の一部又は全部を全反射して所望の方向に偏向する全反射面４とを有する単位全反射フレネルレンズ２が入光側に配列されている複合型のフレネルレンズシートであり、かつ、前述した関係式を満たすものである。
【００５６】
基材１１を構成する透明樹脂としては、スチレン樹脂、アクリル−スチレン共重合体樹脂、ポリカーボネート樹脂等が好ましく用いられる。なお、フレネルレンズ要素部分１２は基材１１に比べてかなり薄いので、一般的に用いられるアクリル系のＵＶ樹脂等を好ましく用いることができる。
【００５７】
このフレネルレンズシート１’は、図２に示すように、微小な全反射フレネルレンズ２を形成した部分１２と、シートの剛性を担う基材１１部分とから構成されている。このフレネルレンズシート１’は、基材１１上のフレネルレンズ要素部分１２をＵＶ硬化樹脂で形成できるので、レンズの形成が容易であり、製造コストを低減することができるという効果がある。
【００５８】
このような構成において、フレネルレンズシート１’のたわみの程度を決定するのは基材１１であるので、その基材１１の特性が前述した本発明の特徴的な関係式を満たせばよい。フレネルレンズ要素部分１２は、基材１１に比べて１／１０又はそれ以下の厚さであるので、フレネルレンズシート１’のたわみの発生にほとんど影響しない。
【００５９】
なお、この第２実施形態の場合においても、第１実施形態の場合と同様に、拡散剤を含有させたり、出光側にレンチキュラーレンズやルーバーを形成するなどして、迷光の影響を抑制したり、コントラストの低減を抑制することができる。
【００６０】
以上のような第２実施形態のフレネルレンズシート１’によれば、前記の関係式を満たすので、フレネルレンズシート１’を透過した映像光７にゆがみを生じさせる程度の変形（たわみによる変形のこと）が、フレネルレンズシートに起こらない。その結果、フレネルレンズシート１’の中心に対する映像光５の入射角度θが大きい場合においても、フレネルレンズシート１’を透過した映像光７に顕著なゆがみが生じないので、近年の背面投射型表示装置の薄型化及び高品質化に寄与できる。
【００６１】
（第３実施形態）
図１３（ａ）は、フレネルレンズ形成シート１３と、そのフレネルレンズ形成シート１３の出光面側に貼り合わされる補助シート１４とからなる複合形態のフレネルレンズシート４１の一例を示す断面図である。このフレネルレンズシート４１も、第１実施形態と同様に、入射面３とその入射面３から入射する映像光５の一部又は全部を全反射して所望の方向に偏向する全反射面４とを有する単位全反射フレネルレンズ２が入光側に配列されている複合型のフレネルレンズシート４１であり、かつ、フレネルレンズシート４１全体として前述した関係式を満たすものである。この第３実施形態のフレネルレンズシート４１は、そのフレネルレンズ形成シート１３が、第１実施形態で説明したように、全反射フレネルレンズ２を備えた単一構造である点に特徴がある。
【００６２】
このフレネルレンズシート４１は、補助シート１４の厚さに比べてフレネルレンズ形成シート１３の厚さが薄い。そのため、補助シート１４を構成する透明樹脂として、スチレン樹脂、アクリル−スチレン共重合体樹脂、ポリカーボネート樹脂等が好ましく用いられる。そして、フレネルレンズシート全体として前述した関係式を満たすように構成することにより、投影映像のゆがみの発生を抑え、平面性の悪化を最小限に抑えることができる。
【００６３】
一方、フレネルレンズ形成シート１３は補助シート１４に比べて薄いので、前述した第２実施形態で説明したように、映像のゆがみにあまり影響しない。そのため、通常は一般的に用いられるアクリル系のＵＶ樹脂等が用いられるが、補助シート１４と同様の樹脂で形成することもできる。
【００６４】
フレネルレンズ形成シート１３は、図１４に示すように、フレネルレンズの逆形状を有する金型４２を用い、前記樹脂をプレス成形、射出成形又はキャスティング成形などにより成形し、その金型４２から離型することにより製造される。なお、前述した透明樹脂としては、混ぜものがなく均一なものを用いることができるが、迷光をなくすための前述した各種の手段を適用することが好ましい。
【００６５】
フレネルレンズ形成シート１３と補助シート１４とは、エポキシ系の透明な接着剤やアクリル系の透明な粘着剤で貼り合わせることができ、また、ＵＶ硬化樹脂を塗布して積層した後にＵＶ照射により貼り合わせてもよい。このときの接着剤層又は粘着剤層等の厚さは約１０〜１００μｍであることが好ましい。
【００６６】
また、補助シートを、レンチキュラーレンズが形成されたレンチキュラーレンズシートとすることも可能である。フレネルレンズ形成シートにレンチキュラーレンズシートを貼り合わせて一体化させることにより、レンチキュラーレンズを有するフレネルレンズシートを極めて効率的に作製することができる。
【００６７】
フレネルレンズシートの厚さについては、前述した関係式を満たすことができる厚さであることが必要であるが、通常０．２〜０．６ｃｍであることが好ましい。また、フレネルレンズ形成シート１３の厚さについては、特にフレネルレンズ要素の先端角ａが約４０°程度（例えば、３６〜４４°）とかなり鋭角な場合においては、良好な離型性の観点から、通常０．０５〜０．２ｃｍであることが好ましく、０．１〜０．２ｃｍであることがより好ましい。また、補助シート１４の厚さについては、通常０．２〜０．４ｃｍであることが好ましい。
【００６８】
この第３実施形態の場合においても、第１実施形態の場合と同様に、拡散剤を含有させたり、出光側にレンチキュラーレンズやルーバーを形成するなどして、迷光の影響を抑制したり、コントラストの低減を抑制することができる。
【００６９】
以上のような第３実施形態のフレネルレンズシートによれば、フレネルレンズ形成シート１３の厚さをより一層薄くすることができるので、フレネルレンズの転写形状（逆形状）が形成されている金型４２から、薄く柔軟なフレネルレンズ形成シート１３を容易に離型することができる。その結果、フレネルレンズシートの製造の効率化を達成できる。また、フレネルレンズシートの全体としては、前記の関係式を満たすので、投影映像のゆがみが発生し難く、金型からの離型作業の効率化を達成できるフレネルレンズシートの提供が可能となる。
【００７０】
（第４実施形態）
図１３（ｂ）は、フレネルレンズ形成シート１３’と、そのフレネルレンズ形成シート１３’の出光面側に貼り合わされる補助シート１４とからなる複合形態のフレネルレンズシート４１’の一例を示す断面図である。このフレネルレンズシート４１’も、第１実施形態と同様に、入射面３とその入射面３から入射する映像光５の一部又は全部を全反射して所望の方向に偏向する全反射面４とを有する単位全反射フレネルレンズ２が入光側に配列されている複合型のフレネルレンズシート４１’であり、かつ、フレネルレンズシート４１’全体として前述した関係式を満たすものである。
【００７１】
この第４実施形態のフレネルレンズシート４１’は、図１３（ｂ）に示すように、そのフレネルレンズ形成シート１３’が、シートの剛性を担う基材１１と、その基材１１上に形成された微小な全反射フレネルレンズ要素部分１２とからなる複合形態である点に特徴がある。
【００７２】
このフレネルレンズシート４１’は、補助シート１４の厚さに比べてフレネルレンズ形成シート１３’の厚さが薄く、さらにそのフレネルレンズ形成シート１３’においては、基材１１に比べてフレネルレンズ要素部分１２の厚さはかなり薄く形成されている。そのため、補助シート１４を構成する透明樹脂として、スチレン樹脂、アクリル−スチレン共重合体樹脂、ポリカーボネート樹脂、硝子板等が好ましく用いられる。そして、フレネルレンズシート４１’の全体として前述した関係式を満たすように構成することにより、投影映像のゆがみの発生を抑え、平面性の悪化を最小限に抑えることができる。
【００７３】
一方、フレネルレンズ形成シート１３’は補助シート１４に比べて薄いので、前述した第２実施形態で説明したように、映像のゆがみにあまり影響しない。そのため、通常は一般的に用いられるＵＶ樹脂等が用いられるが、補助シート１４と同様の樹脂で形成することができる。なお、このフレネルレンズ形成シート１３’において、基材上のフレネルレンズ要素部分１２をＵＶ硬化樹脂で形成することにより、レンズの形成を容易とすることができ、製造コストを低減することができるという効果がある。また、フレネルレンズ形成シート１３’を構成する基材を１１を補助シート１４と同様の樹脂で形成し、フレネルレンズ要素部分１２をＵＶ樹脂で形成することもできる。
【００７４】
このフレネルレンズ形成シート１３’は、フレネルレンズの逆形状を有する金型４２を用い、フレネルレンズ要素部分１２を形成するための透明樹脂をプレス成形、射出成形又はキャスティング成形などにより基材１１上に成形して製造される。前述した透明樹脂としては、混ぜものがなく均一なものを用いることができるが、迷光をなくすための前述した各種の手段を適用することが好ましい。
【００７５】
また、フレネルレンズ形成シート１３’と補助シート１４との貼り合わせについても、前述した第３実施形態で説明したのと同様である。また、補助シート１４を、レンチキュラーレンズが形成されたレンチキュラーレンズシートとすることも、前記第３実施形態と同様に可能であり、同様の効果を奏する。また、フレネルレンズシート４１’の厚さ、フレネルレンズ形成シート１３’の厚さ、及び、補助シート１４の厚さについても、前記第３実施形態と同様に可能であり、同様の効果を奏する。
【００７６】
このような構成において、フレネルレンズシートのたわみの程度を決定するのは、フレネルレンズ形成シート１３’を構成する基材１１、及び補助シート１４であるので、その基材と補助シートとからなるフレネルレンズシート全体の特性が前述した本発明の特徴的な関係式を満たせばよい。フレネルレンズ要素部分１２は、フレネルレンズシート４１’全体の厚さに比べて１／１０又はそれ以下の厚さであるので、フレネルレンズシート４１’のたわみの発生にほとんど影響しない。
【００７７】
なお、この第４実施形態の場合においても、第１実施形態の場合と同様に、拡散剤を含有させたり、出光側にレンチキュラーレンズやルーバーを形成するなどして、迷光の影響を抑制したり、コントラストの低減を抑制することができる。
【００７８】
以上のような第４実施形態のフレネルレンズシートによれば、フレネルレンズ形成シート１３’の厚さをより一層薄くすることができるので、フレネルレンズの転写形状（逆形状）が形成されている金型４２から、薄く柔軟なフレネルレンズ形成シート１３’を容易に離型することができる。その結果、フレネルレンズシートの製造の効率化を達成できる。また、フレネルレンズシートの全体としては、前記の関係式を満たすので、投影映像のゆがみが発生し難く、金型からの離型作業の効率化を達成できるフレネルレンズシートの提供が可能となる。
【００７９】
（透過型スクリーン及び背面投射型表示装置）
本発明の透過型スクリーン３０は、本発明に係るフレネルレンズシート自体で透過型スクリーンを構成するもの、本発明のフレネルレンズシート１とレンチキュラーレンズシート３１とを有するもの（図１５を参照）、さらにそれらに前面シート等を加えたもの、等々を挙げることができる。何れにしても本発明の透過型スクリーンは、前述した関係式を満たすフレネルレンズシートを備えているものである。また、本発明の背面投射型表示装置は、前述した本発明のフレネルレンズシート又は透過型スクリーンを備えるものである。
【００８０】
本発明の特徴を満たし、本発明の所期の目的を達成することができる限りにおいて、本発明のフレネルレンズシートには、従来公知の他の構成を付加してもよい。
【実施例】
【００８１】
以下、本発明の透過型スクリーンについて具体的な実施例に基づき説明する。
【００８２】
（実施例１）
映像光が後方より斜めに投射される背面投射型表示装置として、画面サイズ５０インチ（アスペクト比１６：９、縦６２．３ｃｍ×横１１０．７ｃｍ）、フレネルレンズシートからプロジェクター（光源）までの水平距離２５ｃｍ、画面下端からプロジェクターを含む水平面までの垂直距離１７ｃｍ、画面中心での映像光の入射角６２．６°となるように構成した。
【００８３】
フレネルレンズシートは、アクリル樹脂で形成し、厚さＴを０．３５ｃｍ、レンズピッチを０．０１１ｃｍとなるように形成した。このフレネルレンズシートの弾性係数は３００００ｋｇｆ／ｃｍ２であった。弾性係数は、JIS K 7113  プラスチックの引張試験方法により測定した。なお、このフレネルレンズシートには拡散剤がフレネルレンズシート全体の０．１重量％含まれていた。
【００８４】
これらの値を、Ｈ×Ｈ／（１０×Ｅ×Ｔ×Ｔ）≦３Ｌ／２０００、に代入すると、Ｈ×Ｈ／（１０×Ｅ×Ｔ×Ｔ）＝０．１０６、３Ｌ／２０００＝０．１６６であるので、０．１０６≦０．１６６、となった。
【００８５】
このフレネルレンズシートを有する実施例１の透過型スクリーンでは、ゆがみがない良好な映像が得られた。
【００８６】
また、図１５に示すように、前記のフレネルレンズシート１の出光面側に、フレネルレンズシート１とは別体のレンチキュラーレンズシート３１を配置して透過型スクリーンを構成した。そのレンチキュラーレンズシート３１は、厚さ０．１ｃｍでピッチ０．０１４ｃｍの垂直レンチキュラーレンズ３２を有し、光拡散剤を含みかつ垂直レンチキュラーレンズ３２のレンズ表面に沿った部分にだけ光吸収層３３を有するレンチキュラーレンズシート（ピークゲイン４、αＨ２５°、αＶ８°）である。ここで、ゲインとは、スクリーンの後方から光線を入射し、前方に出てくる光の輝度の角度分布を測定し、スクリーンにおける照度と各々の輝度とから、ゲインＧ＝π×輝度（ｃｄ／ｍ２）／照度（ｌｘ）の関係式により求めたものである。なお、ピークゲインとは、スクリーンの中で最大のゲイン値のことであり、本願においては、スクリーンの中心をスクリーンの正面から観察したときのゲインの最大値を示す。また、αＨは水平方向のピークゲインの半値角のことであり、αＶは垂直方向のピークゲインの半値角を表すものである。このように別体のレンチキュラーレンズシート３１を有する透過型スクリーンにおいても、ゆがみがない良好な映像が得られた。
【００８７】
（実施例２）
映像光が後方より斜めに投射される背面投射型表示装置として、画面サイズ６０インチ（アスペクト比１６：９、縦７４．７ｃｍ×横１３２．８ｃｍ）、フレネルレンズシートからプロジェクター（光源）までの水平距離２３ｃｍ、画面下端からプロジェクターを含む水平面までの垂直距離２０ｃｍ、画面中心での映像光の入射角６８°となるように構成した。
【００８８】
フレネルレンズシートは、ポリカーボネートで形成し、厚さＴを０．４５ｃｍ、レンズピッチを０．０１１ｃｍとなるように形成した。このフレネルレンズシートの弾性係数は２５０００ｋｇｆ／ｃｍ２であった。弾性係数は、JIS K 7113  プラスチックの引張試験方法により測定した。なお、このフレネルレンズシートには拡散剤がフレネルレンズシート全体の０．０５重量％含まれていた。
【００８９】
これらの値を、Ｈ×Ｈ／（１０×Ｅ×Ｔ×Ｔ）≦３Ｌ／２０００、に代入すると、Ｈ×Ｈ／（１０×Ｅ×Ｔ×Ｔ）＝０．１１、３Ｌ／２０００＝０．２１３であるので、０．１１≦０．２１３、となった。
【００９０】
このフレネルレンズシートを有する実施例２の透過型スクリーンでは、ゆがみがない良好な映像が得られた。
【００９１】
また、前記のフレネルレンズシートの出光面側に、フレネルレンズシートとは別体のレンチキュラーレンズシートを配置して透過型スクリーンを構成した。そのレンチキュラーレンズシートは、厚さ０．１ｃｍでピッチ０．０１４ｃｍの垂直レンチキュラーレンズを有し、光拡散剤を含みかつ垂直レンチキュラーレンズのレンズ表面に沿った部分にだけ光吸収層を有するレンチキュラーレンズシート（ピークゲイン４、αＨ２５°、αＶ８°）である。このように別体のレンチキュラーレンズシートを有する透過型スクリーンにおいても、ゆがみがない良好な映像が得られた。
【００９２】
（実施例３）
実施例１とほぼ同じ投射系及びフレネルレンズシートを形成した。ただし、実施例３においては、このフレネルレンズシートの出光面側にレンチキュラーレンズを形成した。そのレンチキュラーレンズは、ピッチが０．０１４ｃｍで、一部全反射面を含むような垂直レンチキュラーレンズであり、内部に拡散特性グラフの半値角（αＶ）が１０°であるような量の拡散剤を含有させ、さらに透過率が５０％になるように光吸収剤を含有させた。ピークゲイン２、αＨ４０°、αＶ１０°の光学特性を有するスクリーンが得られた。このスクリーンは一枚構成であるので、取り扱いも容易で、ゆがみがない良好な映像が得られた。
【００９３】
（実施例４）
実施例２と同じ投射系及びフレネルレンズシートを形成した。ただし、実施例４においては、厚さＴが０．４５ｃｍのポリカーボネート基板の上にＵＶ硬化樹脂によりピッチ０．０１１ｃｍのフレネルレンズを形成した。ＵＶ硬化樹脂の厚さを０．０２ｃｍとした。
【００９４】
これらの値を、Ｈ×Ｈ／（１０×Ｅ×Ｔ×Ｔ）≦３Ｌ／２０００、に代入すると、実施例２と同様に、０．１１≦０．２１３、となった。
【００９５】
このフレネルレンズシートを有する実施例４の透過型スクリーンでは、ゆがみがない良好な映像が得られた。
【００９６】
また、前記のフレネルレンズシートの出光面側に、フレネルレンズシートとは別体のレンチキュラーレンズシートを配置して透過型スクリーンを構成した。そのレンチキュラーレンズシートは、厚さ０．１ｃｍでピッチ０．０１４ｃｍの垂直レンチキュラーレンズを有し、光拡散剤を含みかつ垂直レンチキュラーレンズのレンズ表面に沿った部分にだけ光吸収層を有するレンチキュラーレンズシート（ピークゲイン４、αＨ２５°、αＶ８°）である。このように別体のレンチキュラーレンズシートを有する透過型スクリーンにおいても、ゆがみがない良好な映像が得られた。
【００９７】
（実施例５）
映像光が後方より斜めに投射される背面投射型表示装置として、画面サイズ７０インチ（アスペクト比４：３、縦１０６．７ｃｍ×横１４２．２ｃｍ）、フレネルレンズシートからプロジェクター（光源）までの水平距離３２ｃｍ、画面下端からプロジェクターを含む水平面までの垂直距離３０ｃｍ、画面中心での映像光の入射角６９°となるように構成した。
【００９８】
フレネルレンズシートは、図１３（ａ）に示すような、アクリル−スチレン共重合体で形成した厚さ０．２ｃｍのフレネルレンズ形成シート１３と、アクリル板で形成した厚さ０．３５ｃｍの補助シート１４とをアクリル系接着剤で貼り合わせて厚さ０．５５ｃｍ、レンズピッチ０．０１１ｃｍのフレネルレンズシート４１を使用した。
【００９９】
このフレネルレンズシート４１の作製において、図１４に示すように、金型４２からのフレネルレンズ形成シート１３の離型作業は極めて容易であり、作業性の改善が図られた。
【０１００】
このフレネルレンズシート４１の弾性係数は、フレネルレンズ形成シート１３が３３０００ｋｇｆ／ｃｍ２であり、補助シート１４が３００００ｋｇｆ／ｃｍ２であるので、これらの平均値の３１５００ｋｇｆ／ｃｍ２であった。なお、これらのフレネルレンズ形成シート１３及び補助シート１４は拡散剤等を含まないものである。その値と前述の値を、Ｈ×Ｈ／（１０×Ｅ×Ｔ×Ｔ）≦３Ｌ／２０００、に代入すると、Ｈ×Ｈ／（１０×Ｅ×Ｔ×Ｔ）＝０．１２、３Ｌ／２０００＝０．２１３であるので、０．１２≦０．２１３、となった。
【０１０１】
このフレネルレンズシートを有する実施例５の透過型スクリーンでは、ゆがみがない良好な映像が得られた。また、前記のフレネルレンズシートの出光面側に、実施例１と同じレンチキュラーレンズシートを配置して透過型スクリーンを構成した。こうして形成され透過型スクリーンにおいても、ゆがみがない良好な映像が得られた。
【０１０２】
（実施例６）
実施例２と同じ投射系において、実施例２と同じ厚さ（０．４５ｃｍ）のフレネルレンズシートを形成した。ただし、実施例６においては、図１３（ａ）に示すような、ポリカーボネートで形成した厚さ０．２ｃｍのフレネルレンズ形成シート１３と、そのシートと同一材質であるポリカーボネートで形成した厚さ０．２５ｃｍの補助シート１４とを透明なアクリル系粘着剤で貼り合わせたフレネルレンズシート４１を使用した。
【０１０３】
このフレネルレンズシート４１の作製において、金型４２からのフレネルレンズ形成シート１３の離型作業は極めて容易であり、作業性の改善が図られた。また、フレネルレンズ形成シート１３と補助シート１４との材質が同じであるので、環境変化に対する影響を受け難く、平面性も低下しなかった。
【０１０４】
このフレネルレンズシート４１の弾性係数は、フレネルレンズ形成シート１３と補助シート１４との材質が同じであるので、実施例２と同じ２５０００ｋｇｆ／ｃｍ２である。従って、Ｈ×Ｈ／（１０×Ｅ×Ｔ×Ｔ）≦３Ｌ／２０００、についても、実施例２と同様に、０．１１≦０．２１３、となった。このフレネルレンズシートを有する実施例６の透過型スクリーンでは、ゆがみがない良好な映像が得られた。また、前記のフレネルレンズシートの出光面側に、実施例２と同じようにレンチキュラーレンズシートを配置して透過型スクリーンを構成した。ただし、実施例６においては、レンチキュラーレンズシートは、内部に拡散特性グラフの半値角（αＶ）が１０°であるような量の拡散剤を含有させ、さらに透過率が５０％になるように光吸収剤を含有させたものを用いた。こうして形成され透過型スクリーンにおいても、ゆがみがない良好な映像が得られ。
【０１０５】
（実施例７）
実施例１と同じ投射系において、実施例１と同じフレネルレンズシートを形成した。ただし、実施例７においては、厚さＴが０．０２５ｃｍのポリエステル基板の上に厚さ０．０２ｃｍのＵＶ硬化樹脂によりピッチ０．０１１ｃｍのフレネルレンズシートを形成した。このフレネルレンズシートを厚さ０．２ｃｍの硝子板の補助シートにアクリル系接着剤で貼り合わせた。このフレネルレンズシートの作製において、金型からのフレネルレンズシートの離型作業は極めて容易であり、作業性の改善が図られた。
【０１０６】
このフレネルレンズシートの弾性係数は、７０００００ｋｇｆ／ｃｍ２である。なお、補助シートである硝子板の厚さがフレネルレンズシート全体の厚さの８０％以上であると共に硝子板には拡散剤が含まれていなかったので、フレネルレンズシートの弾性係数は硝子板の弾性係数とした。従って、Ｈ×Ｈ／（１０×Ｅ×Ｔ×Ｔ）≦３Ｌ／２０００、は、Ｈ×Ｈ／（１０×Ｅ×Ｔ×Ｔ）＝０．０１３９、３Ｌ／２０００＝０．１６６であるので、０．０１３９≦０．１６６、となった。
【０１０７】
このフレネルレンズシートを有する実施例７の透過型スクリーンでは、ゆがみがない良好な映像が得られた。また、前記のフレネルレンズシートの出光面側に、実施例１と同じレンチキュラーレンズシートを配置して透過型スクリーンを構成した。こうして形成され透過型スクリーンにおいても、ゆがみがない良好な映像が得られた。
【０１０８】
（比較例１）
実施例１と同じ投射系において、フレネルレンズシートの厚さＴを０．２ｃｍとした以外は実施例１と同様に構成した。そのフレネルレンズシートについて、Ｈ×Ｈ／（１０×Ｅ×Ｔ×Ｔ）≦３Ｌ／２０００は、Ｈ×Ｈ／（１０×Ｅ×Ｔ×Ｔ）＝０．３２３、３Ｌ／２０００＝０．１６６であるので、Ｈ×Ｈ／（１０×Ｅ×Ｔ×Ｔ）≦３Ｌ／２０００の関係を満たさなかった。このフレネルレンズシートを有する比較例１の透過型スクリーンでは、画像がゆがんで良好な映像が得られなかった。
【０１０９】
（比較例２）
実施例２と同じ投射系において、フレネルレンズシートとして、厚さＴが０．２５ｃｍのポリエステル基板の上に厚さ０．０２ｃｍのＵＶ硬化樹脂によりピッチ０．０１１ｃｍのフレネルレンズを形成したシートを用いた。このフレネルレンズシートについて、Ｈ×Ｈ／（１０×Ｅ×Ｔ×Ｔ）≦３Ｌ／２０００は、Ｈ×Ｈ／（１０×Ｅ×Ｔ×Ｔ）＝０．３５７、３Ｌ／２０００＝０．２１３であるので、Ｈ×Ｈ／（１０×Ｅ×Ｔ×Ｔ）≦３Ｌ／２０００の関係を満たさなかった。このフレネルレンズシートを有する比較例２の透過型スクリーンでは、画像がゆがんで良好な映像が得られなかった。
【図面の簡単な説明】
【０１１０】
【図１】全反射フレネルレンズを備えた単一構造からなるフレネルレンズシートの一例を示す断面図である。
【図２】基材とその基材上に形成されたフレネルレンズ要素部分とからなる複合形態のフレネルレンズシートの一例を示す断面図である。
【図３】水平な直線をスクリーン上に映し出したときに生じる曲がりを説明する概略図である。
【図４】フレネルレンズシートのたわみについて説明する概略図である。
【図５】単管方式の光源を用いた本発明に係る薄型の背面投射型表示装置の構成を示す概略図である。
【図６】薄型の背面投射型表示装置において、フレネルレンズの位置が変化することによる映像の位置の変化を説明する概略図である。
【図７】フレネルレンズシートにおける迷光を説明する光線追跡図である。
【図８】フレネルレンズシートが光を拡散させる拡散剤を含有している一例を示す断面構成図である。
【図９】フレネルレンズシートが光吸収層を有している一例を示す断面図である。
【図１０】円弧状の垂直レンチキュラーレンズをフレネルレンズシートの出光面に形成した例である。
【図１１】台形状の垂直レンチキュラーレンズを出光面に形成した例である。
【図１２】全反射フレネルレンズの形態の一例を示す断面図である。
【図１３】本発明のフレネルレンズシートの他の例を示す断面図である。
【図１４】フレネルレンズ形成シートを金型から剥離する工程の説明図である。
【図１５】本発明の透過型スクリーンの一例を示す構成図である。
【図１６】従来型の背面投射型表示装置の構成を示す概略図である。
【図１７】従来型の背面投射型表示装置において、フレネルレンズの位置が変化することによる映像の位置の変化を説明する概略図である。
【符号の説明】
【０１１１】
Ｈ  フレネルレンズシート又は基材の垂直方向の長さ（ｃｍ）
Ｌ  フレネルレンズシート又は基材の水平方向の長さ（ｃｍ）
Ｔ  フレネルレンズシート又は基材の厚さ（ｃｍ）
θ  入射角度
Ｐ  曲がり
Ｑ  ズレの許容長さ
Ｗ  たわみ量
ａ、ｂ、ｃ  フレネルレンズの構成角度
１、１’、２１、４１、４１’  フレネルレンズシート
２、２２  単位全反射フレネルレンズ
３、２３  入射面
４、２４  全反射面
５  入射する映像光
６  出光面
７  透過した映像光
８  光源
９  直線
１０、３０  透過型スクリーン
１１  基材
１２  フレネルレンズ要素部分
１３、１３’  フレネルレンズ形成シート
１４  補助シート
１５  拡散剤
１６、３３  光吸収層
１７  円弧状の垂直レンチキュラーレンズ
１８  台形状の垂直レンチキュラーレンズ
１９  台形の斜面
２０  迷光
２５  迷光して出光する光
３１  レンチキュラーレンズシート
３２  レンチキュラーレンズ
４２  金型
５１、５２  背面投射型表示装置
５３  ミラー
【図１】
2005309275.tif 000002
【図２】
2005309275.tif 000003
【図３】
2005309275.tif 000004
【図４】
2005309275.tif 000005
【図５】
2005309275.tif 000006
【図６】
2005309275.tif 000007
【図７】
2005309275.tif 000008
【図８】
2005309275.tif 000009
【図９】
2005309275.tif 000010
【図１０】
2005309275.tif 000011
【図１１】
2005309275.tif 000012
【図１２】
2005309275.tif 000013
【図１３】
2005309275.tif 000014
【図１４】
2005309275.tif 000015
【図１５】
2005309275.tif 000016
【図１６】
2005309275.tif 000017
【図１７】
2005309275.tif 000018